(57)【要約】【課題】各巻線の巻始めと巻終わりとが近づいて密着するため、巻始めと巻終わりとの間に発生する寄生静電容量によって寄生振動の発生や電圧消費が生じ、待機軽負荷時の効率が低下する。【解決手段】一方巻線Ｎｐが、一端部１ａがボビン１１の軸方向一方側１１ａに接続され、他端部１ｂがボビン１１の軸方向他方側１１ｂに接続された内側一方巻線Ｎｐ１と、内側一方巻線Ｎｐ１よりボビン１１の径方向外側に巻回され、内側一方巻線Ｎｐ１と連続する一端部２ａがボビンの軸方向他方側１１ｂに接続され、他端部２ｂがボビン１１の軸方向一方側１１ａに接続された外側一方巻線Ｎｐ２と、を有し、他方巻線Ｎｓが、内側一方巻線Ｎｐ１と外側一方巻線Ｎｐ２との間に巻回され、一端部３ａがボビンの軸方向他方側１１ｂに接続され、他端部３ｂがボビン１１の軸方向一方側１１ａに接続された。【選択図】図２
2018056154.tif 000002
【特許請求の範囲】
【請求項１】
ボビンと、前記ボビンに巻回された一方巻線および他方巻線とを備えたトランスの巻線構造において、
複数に分割された前記一方巻線が、
前記ボビンの径方向内側に巻回され、一端部が前記ボビンの軸方向一方側に接続され、他端部が前記ボビンの軸方向他方側に接続された内側一方巻線と、
前記内側一方巻線より前記ボビンの径方向外側に巻回され、前記内側一方巻線と連続する一端部が前記ボビンの軸方向他方側に接続され、他端部が前記ボビンの軸方向一方側に接続された外側一方巻線と、
を少なくとも有し、
前記他方巻線が、前記内側一方巻線と前記外側一方巻線との間に巻回され、一端部が前記ボビンの軸方向他方側に接続され、他端部が前記ボビンの軸方向一方側に接続されたことを特徴とするトランスの巻線構造。
【請求項２】
前記一方巻線が入力側の一次巻線であり、前記他方巻線が出力側の二次巻線であって、
二分割された前記一方巻線が、前記ボビンの径方向内側に巻回された内側一方巻線である内側一次巻線と、前記内側一次巻線より前記ボビンの径方向外側に巻回された外側一方巻線である外側一次巻線とを有し、
前記ボビンの径方向内側から径方向外側に向かって順に、内側一次巻線、二次巻線、外側一次巻線が巻回されたことを特徴とする請求項１に記載のトランスの巻線構造。
【請求項３】
前記一方巻線が出力側の二次巻線であり、前記他方巻線が入力側の一次巻線であって、
二分割された前記一方巻線が、前記ボビンの径方向内側に巻回された内側一方巻線である内側二次巻線と、前記内側二次巻線より前記ボビンの径方向外側に巻回された外側一方巻線である外側二次巻線とを有し、
前記ボビンの径方向内側から径方向外側に向かって順に、内側二次巻線、一次巻線、外側二次巻線が巻回されたことを特徴とする請求項１に記載のトランスの巻線構造。
【請求項４】
前記他方巻線が複数に分割され、
前記複数に分割された前記他方巻線の各々が、前記ボビンの軸方向の一方側または他方側の少なくともいずれかで接続されるとともに、前記複数に分割された前記一方巻線の各々の間に巻回されていることを特徴とする請求項１に記載のトランスの巻線構造。
【発明の詳細な説明】
【技術分野】
【０００１】
本発明は、ボビンと、ボビンに巻回された一次巻線および二次巻線とを備えたトランスの巻線構造に関する。
【背景技術】
【０００２】
従来、例えば特許文献１では、一次巻線と二次巻線との結合度を上げるために、一方の巻線を二分割し、その間に他方の巻線を挟むサンドイッチ巻構造が採用されている。
【０００３】
このような構造を採用したトランスでは、例えば図１０から図１４に示すように、一次巻線Ｎｐ１と一次巻線Ｎｐ２とはそれぞれ、ボビン１０１の一方の端部１０１ａに接続された一端部が、ボビン１０１の他方の端部１０１ｂ近くまで巻き回されて折り返された後、他端部もボビン１１の一方の端部１０１ａに接続されることがある。また二次巻線Ｎｓでは、ボビン１１の他方の端部１０１ｂに接続された一端部が、ボビン１０１の一方の端部１０１ａ近くまで巻き回されて折り返された後、他端部もボビン１０１の他方の端部１０１ｂに接続されることがある。
【先行技術文献】
【特許文献】
【０００４】
【特許文献１】特開２００８−１５９９６３号公報
【発明の概要】
【発明が解決しようとする課題】
【０００５】
しかし上述したトランスでは、Ｎｐ１巻線、Ｎｐ２巻線およびＮｓ巻線のそれぞれにおいて、巻線の巻始めと巻終わりとがボビンの同じ側に接続されるため、巻始めと巻終わりとが近づいて密着する（図１０参照）。このため、巻始めと巻終わりとの間に発生する寄生容量によって寄生振動の発生や電力消費が生じ、待機軽負荷時の効率が低下するという問題がある。
【０００６】
そこで、この発明は上記のような課題を解決するためになされたもので、巻線の巻始めと巻終りとが近付いて密着しないようにして寄生容量の発生を抑え、待機軽負荷時の効率が低下するのを防止するトランスの巻線構造を提供することを目的とする。
【課題を解決するための手段】
【０００７】
本発明に係るトランスの巻線構造は、
ボビンと、前記ボビンに巻回された一方巻線および他方巻線とを備えたトランスの巻線構造において、
複数に分割された前記一方巻線が、
前記ボビンの径方向内側に巻回され、一端部が前記ボビンの軸方向一方側に接続され、他端部が前記ボビンの軸方向他方側に接続された内側一方巻線と、
前記内側一方巻線より前記ボビンの径方向外側に巻回され、前記内側一方巻線と連続する一端部が前記ボビンの軸方向他方側に接続され、他端部が前記ボビンの軸方向一方側に接続された外側一方巻線と、
を少なくとも有し、
前記他方巻線が、前記内側一方巻線と前記外側一方巻線との間に巻回され、一端部が前記ボビンの軸方向他方側に接続され、他端部が前記ボビンの軸方向一方側に接続されたことを特徴とする。
【０００８】
この発明では、内側一方巻線と外側一方巻線との間に他方巻線が巻回されることで、サンドイッチ巻構造とすることができる。また、内側一方巻線の一端部がボビンの軸方向一方側に接続され、他端部がボビンの軸方向他方側に接続され、かつ外側一方巻線の一端部がボビンの軸方向他方側に接続され、他端部がボビンの軸方向一方側に接続されている。更に、他方巻線の一端部がボビンの軸方向他方側に接続され、他端部がボビンの軸方向一方側に接続されている。これにより、サンドイッチ巻構造を維持したまま、各巻線の巻始めと巻終りとが近付いて密着しないようにして寄生容量の発生を抑え、待機軽負荷時の効率が低下するのを防止することができる。
【０００９】
前記一方巻線が入力側の一次巻線であり、前記他方巻線が出力側の二次巻線であって、
二分割された前記一方巻線が、前記ボビンの径方向内側に巻回された内側一方巻線である内側一次巻線と、前記内側一次巻線より前記ボビンの径方向外側に巻回された外側一方巻線である外側一次巻線とを有し、
前記ボビンの径方向内側から径方向外側に向かって順に、内側一次巻線、二次巻線、外側一次巻線が巻回されることが好ましい。
【００１０】
この発明では、各巻線の巻始めと巻終りとが近付いて密着しないようにして寄生容量の発生を抑えつつ、内側一次巻線と二次巻線と外側一次巻線とのサンドイッチ巻構造により一次巻線と二次巻線との間の密着面積を増やし、一次巻線と二次巻線との間の結合度を向上させることができる。
【００１１】
前記一方巻線が出力側の二次巻線であり、前記他方巻線が入力側の一次巻線であって、
二分割された前記一方巻線が、前記ボビンの径方向内側に巻回された内側一方巻線である内側二次巻線と、前記内側二次巻線より前記ボビンの径方向外側に巻回された外側一方巻線である外側二次巻線とを有し、
前記ボビンの径方向内側から径方向外側に向かって順に、内側二次巻線、一次巻線、外側二次巻線が巻回されても良い。
【００１２】
この発明では、各巻線の巻始めと巻終りとが近付いて密着しないようにして寄生容量の発生を抑えつつ、内側二次巻線と一次巻線と外側二次巻線とのサンドイッチ巻構造により一次巻線と二次巻線との間の密着面積を増やし、一次巻線と二次巻線との間の結合度を向上させることができる。
【００１３】
前記他方巻線が複数に分割され、
前記複数に分割された前記他方巻線の各々が、前記ボビンの軸方向の一方側または他方側の少なくともいずれかで接続されるとともに、前記複数に分割された前記一方巻線の各々の間に巻回されていても良い。
【００１４】
この発明では、一方巻線に加えて他方巻線を分割することで、巻線の数を増やすことができる。これにより、一方巻線と他方巻線との間の密着面積を増やし、一方巻線と他方巻線との間の結合度を更に向上させることができる。また、複数に分割された他方巻線の各々が、複数に分割された一方巻線の各々の間に巻回されているので、複数に分割された他方巻線の端部同士が離れ、寄生容量の発生を効果的に防止することができる。
【発明の効果】
【００１５】
本発明では、内側一方巻線と外側一方巻線との間に他方巻線が巻回されることで、サンドイッチ巻構造とすることができる。また、内側一方巻線の一端部がボビンの軸方向一方側に接続され、他端部がボビンの軸方向他方側に接続され、かつ外側一方巻線の一端部がボビンの軸方向他方側に接続され、他端部がボビンの軸方向一方側に接続されている。更に、他方巻線の一端部がボビンの軸方向他方側に接続され、他端部がボビンの軸方向一方側に接続されている。これにより、サンドイッチ巻構造を維持したまま、各巻線の巻始めと巻終りとが近付いて密着しないようにして寄生容量の発生を抑え、待機軽負荷時の効率が低下するのを防止することができる。
【００１６】
また、各巻線の巻始めと巻終りとが近付いて密着しないようにして寄生容量の発生を抑えつつ、内側一次巻線と二次巻線と外側一次巻線とのサンドイッチ巻構造により一次巻線と二次巻線との間の密着面積を増やし、一次巻線と二次巻線との間の結合度を向上させることができる。
【００１７】
更に、各巻線の巻始めと巻終りとが近付いて密着しないようにして寄生容量の発生を抑えつつ、内側二次巻線と一次巻線と外側二次巻線とのサンドイッチ巻構造により一次巻線と二次巻線との間の密着面積を増やし、一次巻線と二次巻線との間の結合度を向上させることができる。
【００１８】
一方巻線に加えて他方巻線を分割することで、巻線の数を増やすことができる。これにより、一方巻線と他方巻線との間の密着面積を増やし、一方巻線と他方巻線との間の結合度を更に向上させることができる。また、複数に分割された他方巻線の各々が、複数に分割された一方巻線の各々の間に巻回されているので、複数に分割された他方巻線の端部同士が離れ、寄生容量の発生を効果的に防止することができる。
【図面の簡単な説明】
【００１９】
【図１】本発明の実施形態に係るトランスの断面図である。
【図２】ボビンに巻回された第１実施形態に係る巻線構造を示す概略断面図である。
【図３】図１のトランスの底面図である。
【図４】第１実施形態に係る巻線の概略回路図である。
【図５】第１実施形態に係る巻線構造の巻き順を示す概略図である。
【図６】第１実施形態に係る巻線構造の巻き順を示す概略図である。
【図７】第１実施形態に係る巻線構造の巻き順を示す概略図である。
【図８】第２実施形態に係る巻線構造を示す概略断面図である。
【図９】第３実施形態に係る巻線の概略断面図である。
【図１０】従来の巻線構造を示す概略断面図である。
【図１１】従来の巻線の概略回路図である。
【図１２】従来の巻線の巻き順を示す概略図である。
【図１３】従来の巻線の巻き順を示す概略図である。
【図１４】従来の巻線の巻き順を示す概略図である。
【発明を実施するための形態】
【００２０】
以下、本発明の実施形態を添付図面に従って説明する。
【００２１】
＜第１実施形態＞
図１に示すように、本実施形態のトランス１０は、ボビン１１と、ボビン１１に巻回された一方巻線Ｎｐ（Ｎｐ１，Ｎｐ２）および他方巻線Ｎｓと、ボビン１１の下端から下方に延びた絡げ用ピン１５，１６とを備えている。
【００２２】
ボビン１１は、空洞１２が形成された円筒形状のボビン本体１３を有し、軸方向に延びる枠体である。空洞１２には、フェライトコア等の磁性体が挿入される。ボビン本体１３の外周部には、一方巻線Ｎｐと他方巻線Ｎｓとが巻回されている。
【００２３】
一方巻線Ｎｐは入力側の一次巻線であり、図２を併せて参照すると、この一次巻線Ｎｐが、ボビン１１の径方向内側に巻回された内側一方巻線である内側一次巻線Ｎｐ１と、内側一次巻線Ｎｐ１よりボビン１１の径方向外側に巻回された外側一方巻線である外側一次巻線Ｎｐ２とに二分割されている。
【００２４】
他方巻線Ｎｓは出力側の二次巻線であり、内側一次巻線Ｎｐ１と外側一次巻線Ｎｐ２との間でボビン本体１３の外周部に巻回されている。すなわち、ボビン１１の径方向内側から径方向外側に向かって順に、内側一次巻線Ｎｐ１、二次巻線Ｎｓ、外側一次巻線Ｎｐ２が巻回され、サンドイッチ巻構造を構成している。
【００２５】
図３は、図１のトランス１０を下方から見た底面図である。複数の絡げ用ピン１５（１５ａ，１５ｂ，１５ｃ），１６（１６ａ，１６ｂ，１６ｃ）は、ボビン１１の軸方向の一方側１１ａおよび他方側１１ｂに配設されている。絡げ用ピン１５，１６には、各巻線の端部が引き出されて接続されている。ボビン１１の軸方向一方側１１ａに配設された一方側絡げ用ピン１５と、ボビン１１の軸方向他方側１１ｂに配設された他方側絡げ用ピン１６とは、所定の間隔を隔てて配設されている。所定の間隔とは本実施形態では、ボビン１１の軸方向長さに相当する。
【００２６】
次に、本発明のトランス１０の巻線構造について説明する。図４は第１実施形態に係る巻線の概略回路図である。
【００２７】
図２に示すように、内側一次巻線Ｎｐ１は、外側一次巻線Ｎｐ２および二次巻線Ｎｓよりボビン１１の径方向内側に巻回されている。すなわち内側一次巻線Ｎｐ１は、トランス１０の巻線構造の中で最もボビン１１の径方向内側に巻回されている。
【００２８】
また内側一次巻線Ｎｐ１は、一端部１ａがボビン１１の軸方向一方側１１ａに接続され、他端部１ｂがボビン１１の軸方向他方側１１ｂに接続されている。図４を参照すると、より詳しくは、内側一次巻線Ｎｐ１の一端部１ａが一方側絡げ用ピン１５ａに接続され、他端部１ｂが他方側絡げ用ピン１６ａに接続されている。これにより、内側一次巻線Ｎｐ１の一端部（巻始め）１ａと他端部（巻終わり）１ｂとが離れ、近付いて密着しないように配置されている。
【００２９】
内側一次巻線Ｎｐ１に連続する外側一次巻線Ｎｐ２は、内側一次巻線Ｎｐ１および二次巻線Ｎｓよりボビン１１の径方向外側に巻回されている。すなわち外側一次巻線Ｎｐ２は、トランス１０の巻線構造の中で最もボビン１１の径方向外側に巻回されている。
【００３０】
外側一次巻線Ｎｐ２は、内側一次巻線Ｎｐ１の他端部１ｂと連続する一端部２ａがボビン１１の軸方向他方側１１ｂに接続され、他端部２ｂがボビン１１の軸方向一方側１１ａに接続されている。より詳しくは、外側一次巻線Ｎｐ２の一端部２ａが他方側絡げ用ピン１６ｂに接続され、他端部２ｂが一方側絡げ用ピン１５ｂに接続されている。これにより、外側一次巻線Ｎｐ２の一端部（巻始め）２ａと他端部（巻終わり）２ｂとが離れ、近付いて密着しないように配置されている。なお、一方側絡げ用ピン１５ａと一方側絡げ用ピン１５ｂとは寄生容量の発生を確実に防止するため離れて配設されているが、ピンが隣同士であっても、１巻線径分（約０．５〜１．０ｍｍ）以上に十分離れて配置されているので、密着している状態に比較し寄生容量の発生を抑えることができる。他方側絡げ用ピン１６ａと他方側絡げ用ピン１６ｂとは隣り合って配設されている。この場合、他方側絡げ用ピン１６ａと他方側絡げ用ピン１６ｂとは基板側の配線パターンでショートすることになるので、これに代えて同一のピンに２巻線を絡げるようにしてもよい。
【００３１】
内側一次巻線Ｎｐ１と外側一次巻線Ｎｐ２との間に巻回された二次巻線Ｎｓは、一端部３ａがボビン１１の軸方向他方側１１ｂに接続され、他端部３ｂがボビン１１の軸方向一方側１１ａに接続されている。より詳しくは、二次巻線Ｎｓの一端部３ａが他方側絡げ用ピン１６ｃに接続され、他端部３ｂが一方側絡げ用ピン１５ｃに接続されている。これにより、二次巻線Ｎｓの一端部（巻始め）３ａと他端部（巻終わり）３ｂとが離れ、近付いて密着しないように配置されている。
【００３２】
図５から図７を用いて、上述した巻線構造の巻順について説明する。まず図５に示すように、内側一次巻線Ｎｐ１の一端部１ａを一方側絡げ用ピン１５ａに接続して巻始め、ボビン本体１３（図１参照）の外周部に巻回させた後、他端部１ｂを他方側絡げ用ピン１６ａに接続して巻き終わる。次に図６に示すように、二次巻線Ｎｓの一端部３ａを他方側絡げ用ピン１６ｃに接続して巻始め、ボビン本体１３の外周部に巻回させた後、他端部３ｂを一方側絡げ用ピン１５ｃに接続して巻き終わる。最後に図７に示すように、外側一次巻線Ｎｐ２の一端部２ａを他方側絡げ用ピン１６ｂに接続して巻始め、ボビン本体１３の外周部に巻回させた後、他端部２ｂを一方側絡げ用ピン１５ｂに接続して巻き終わる。
【００３３】
[本実施形態のトランス１０の巻線構造の特徴]
本実施形態のトランス１０の巻線構造には以下の特徴がある。
【００３４】
本実施形態のトランス１０の巻線構造では、内側一次巻線Ｎｐ１と外側一次巻線Ｎｐ２との間に二次巻線Ｎｓが巻回されることで、サンドイッチ巻構造とすることができる。また、内側一次巻線Ｎｐ１の一端部１ａがボビン１１の軸方向一方側１１ａに接続され、他端部１ｂがボビン１１の軸方向他方側１１ｂに接続され、かつ外側一次巻線Ｎｐ２の一端部２ａがボビン１１の軸方向他方側１１ｂに接続され、他端部２ｂがボビン１１の軸方向一方側１１ａに接続されている。更に、二次巻線Ｎｓの一端部３ａがボビン１１の軸方向他方側１１ｂに接続され、他端部３ｂがボビン１１の軸方向一方側１１ａに接続されている。これにより、サンドイッチ巻構造を維持したまま、各巻線の巻始め（一端部）と巻終り（他端部）とが近付いて密着しないようにして寄生容量の発生を抑え、待機軽負荷時の効率が低下するのを防止することができる。
【００３５】
本実施形態のトランス１０の巻線構造では、各巻線の巻始めと巻終りとが近付いて密着しないようにして寄生容量の発生を抑えつつ、内側一次巻線Ｎｐ１と二次巻線Ｎｓと外側一次巻線Ｎｐ２とのサンドイッチ巻構造により一次巻線Ｎｐ１，Ｎｐ２と二次巻線Ｎｓとの間の密着面積を増やし、一次巻線Ｎｐ１，Ｎｐ２と二次巻線Ｎｓとの間の結合度を向上させることができる。
【００３６】
＜第２実施形態＞
次に、第２実施形態に係るトランス１０の巻線構造について説明する。図８は第２実施形態に係る巻線構造を示す概略断面図である。なお、トランス１０を含め第１実施形態と同様の構成には同じ符号を付してその説明を適宜省略する。
【００３７】
第１実施形態では一次巻線Ｎｐを二分割し、ボビン１１の径方向内側から径方向外側に向かって順に、内側一次巻線Ｎｐ１、二次巻線Ｎｓ、外側一次巻線Ｎｐ２が巻回され、サンドイッチ巻構造を構成した。これに代えて第２実施形態では図８に示すように二次巻線Ｎｓを二分割し、ボビン１１の径方向内側から径方向外側に向かって順に、内側二次巻線Ｎｓ１、一次巻線Ｎｐ、外側二次巻線Ｎｓ２が巻回されている。
【００３８】
一方巻線Ｎｓが出力側の二次巻線であり、この二次巻線Ｎｓが、ボビン１１の径方向内側に巻回された内側一方巻線である内側二次巻線Ｎｓ１と、内側二次巻線Ｎｓ１よりボビン１１の径方向外側に巻回された外側一方巻線である外側二次巻線Ｎｓ２とに二分割されている。
【００３９】
内側二次巻線Ｎｓ１の一端部２１ａがボビン１１の軸方向一方側１１ａに接続され、他端部２１ｂはボビン１１の軸方向他方側１１ｂに接続されている。これにより、内側二次巻線Ｎｓ１の一端部（巻始め）２１ａと他端部（巻終わり）２１ｂとが離れ、近付いて密着しないように配置されている。
【００４０】
内側二次巻線Ｎｓ１の他端部２１ｂに連続する外側二次巻線Ｎｓ２の一端部２２ａが、ボビン１１の軸方向他方側１１ｂに接続され、他端部２２ｂはボビン１１の軸方向一方側１１ａに接続されている。これにより、外側二次巻線Ｎｓ２の一端部（巻始め）２２ａと他端部（巻終わり）２２ｂとが離れ、近付いて密着しないように配置されている。
【００４１】
他方巻線Ｎｐは入力側の一次巻線であり、内側二次巻線Ｎｓ１と外側二次巻線Ｎｓ２との間でボビン本体１３の外周部に巻回されている。これにより、ボビン１１の径方向内側から径方向外側に向かって順に、内側二次巻線Ｎｓ１、一次巻線Ｎｐ、外側二次巻線Ｎｓ２が巻回され、サンドイッチ巻構造を構成している。
【００４２】
なお、一次巻線Ｎｐの一端部２３ａがボビン１１の軸方向他方側１１ｂに接続され、他端部２３ｂはボビン１１の軸方向一方側１１ａに接続されている。これにより、一次巻線Ｎｐの一端部（巻始め）２３ａと他端部（巻終わり）２３ｂとが離れ、近付いて密着しないように配置されている。
【００４３】
第２実施形態のトランス１０の巻線構造では、各巻線毎の巻始めと巻終りとが近付いて密着しないようにして寄生容量の発生を抑えつつ、内側二次巻線Ｎｓ１と一次巻線Ｎｐと外側二次巻線Ｎｓ２とのサンドイッチ巻構造により一次巻線Ｎｐと二次巻線Ｎｓ１，Ｎｓ２との間の密着面積を増やし、一次巻線Ｎｐと二次巻線Ｎｓ１，Ｎｓ２との間の結合度を向上させることができる。
【００４４】
＜第３実施形態＞
次に、第３実施形態に係るトランス１０の巻線構造について説明する。図９は第３実施形態に係る巻線の概略断面図である。なお、トランス１０を含め第１実施形態と同様の構成には同じ符号を付してその説明を適宜省略する。
【００４５】
第１実施形態では一次巻線Ｎｐを二分割し、ボビン１１の径方向内側から径方向外側に向かって順に、内側一次巻線Ｎｐ１、二次巻線Ｎｓ、外側一次巻線Ｎｐ２が巻回され、サンドイッチ巻構造を構成した。これに代えて第３実施形態では、一次巻線（一方巻線）Ｎｐが三分割され、二次巻線（他方巻線）Ｎｓが二分割されている。これにより図９に示すように、ボビン１１の径方向内側から径方向外側に向かって順に、内側一次巻線（内側一方巻線）Ｎｐ１、内側二次巻線（内側他方巻線）Ｎｓ１、中間一次巻線（中間一方巻線）Ｎｐ２、外側二次巻線（外側他方巻線）Ｎｓ２、外側一次巻線Ｎｐ３（外側一方巻線）が巻回されている。
【００４６】
一次巻線Ｎｐが、ボビン１１の径方向内側に巻回された内側一次巻線Ｎｐ１と、内側一次巻線Ｎｐ１よりボビン１１の径方向外側に巻回された外側一次巻線Ｎｐ３と、内側一次巻線Ｎｐ１と外側一次巻線Ｎｐ３との間に巻回された中間一次巻線Ｎｐ２とに三分割されている。
【００４７】
内側一次巻線Ｎｐ１の一端部１ａがボビン１１の軸方向一方側１１ａに接続され、他端部１ｂがボビン１１の軸方向他方側１１ｂに接続されている。これにより、内側一次巻線Ｎｐ１の一端部（巻始め）１ａと他端部（巻終わり）１ｂとが離れ、近付いて密着しないように配置されている。なお、内側一次巻線Ｎｐ１の他端部１ｂが中間一次巻線Ｎｐ２の一端部２ａに連続している。
【００４８】
中間一次巻線Ｎｐ２の一端部２ａがボビン１１の軸方向他方側１１ｂに接続され、他端部２ｂがボビン１１の軸方向一方側１１ａに接続されている。これにより、中間一次巻線Ｎｐ２の一端部（巻始め）２ａと他端部（巻終わり）２ｂとが離れ、近付いて密着しないように配置されている。なお、中間一次巻線Ｎｐ２の他端部２ｂが外側一次巻線Ｎｐ３の一端部３３ａに連続している。
【００４９】
外側一次巻線Ｎｐ３の一端部３３ａがボビン１１の軸方向一方側１１ａに接続され、他端部３３ｂがボビン１１の軸方向他方側１１ｂに接続されている。これにより、外側一次巻線Ｎｐ３の一端部（巻始め）３３ａと他端部（巻終わり）３３ｂとが離れ、近付いて密着しないように配置されている。
【００５０】
二次巻線Ｎｓは、ボビン１１の径方向内側に巻回された内側二次巻線Ｎｓ１と、内側二次巻線Ｎｓ１よりボビン１１の径方向外側に巻回された外側二次巻線Ｎｓ２とに二分割されている。内側二次巻線Ｎｓ１の一端部３ａがボビン１１の軸方向他方側１１ｂに接続され、他端部３ｂがボビン１１の軸方向一方側１１ａに接続されている。これにより、内側一次巻線Ｎｓ１の一端部（巻始め）３ａと他端部（巻終わり）３ｂとが離れ、近付いて密着しないように配置されている。なお、内側二次巻線Ｎｓ１の他端部３ｂが外側二次巻線Ｎｓ２の一端部３２ａに連続している。
【００５１】
外側二次巻線Ｎｓ２の一端部３２ａがボビン１１の軸方向一方側１１ａに接続され、他端部３２ｂがボビン１１の軸方向他方側１１ｂに接続されている。これにより、外側一次巻線Ｎｓ２の一端部（巻始め）３２ａと他端部（巻終わり）３２ｂとが離れ、近付いて密着しないように配置されている。
【００５２】
内側二次巻線Ｎｓ１は、内側一次巻線Ｎｐ１と中間一次巻線Ｎｐ２との間に巻回されている。外側二次巻線Ｎｓ２は、中間一次巻線Ｎｐ２と外側一次巻線Ｎｐ３との間に巻回されている。これにより、内側一次巻線Ｎｐ１の一端部（巻始め）１ａと中間一次巻線Ｎｐ２の他端部（巻終わり）２ｂとが離れるとともに、中間一次巻線Ｎｐ２の一端部（巻始め）２ａと外側一次巻線Ｎｐ３の他端部（巻終わり）３３ｂとが離れ、寄生容量の発生を効果的に抑制することができる。
【００５３】
第３実施形態のトランス１０の巻線構造では、一次巻線Ｎｐに加えて二次巻線Ｎｓを分割することで、巻線の数を増やすことができる。これにより、一次巻線Ｎｐと二次巻線Ｎｓとの間の密着面積を増やし、一次巻線Ｎｐと二次巻線Ｎｓとの間の結合度を更に向上させることができる。
【００５４】
以上、本発明の実施形態について図面に基づいて説明したが、具体的な構成は、これらの実施形態に限定されるものではない。本発明の範囲は、上記した実施形態の説明だけではなく特許請求の範囲によって示され、さらに特許請求の範囲と均等の意味および範囲内でのすべての変更が含まれる。
【００５５】
トランス１０の巻線構造に関して、一次巻線と二次巻線とのサンドイッチ巻構造となる限り、一次巻線と二次巻線との巻回構造は特に限定されない。上記実施形態の他、例えばボビン１１の径方向内側から径方向外側に向かって順に、内側二次巻線、内側一次巻線、外側二次巻線、外側一次巻線が巻回されても良い。
【００５６】
前記実施形態では、少なくとも一次巻線と二次巻線との一方を二分割または三分割したが、これに限定されず、例えば四分割以上にしても良い。
【符号の説明】
【００５７】
１０  トランス
１１  ボビン
１１ａ  ボビンの軸方向一方側
１１ｂ  ボビンの軸方向他方側
Ｎｐ  一次巻線（第１実施形態の一方巻線、第２実施形態の他方巻線）
Ｎｐ１  内側一次巻線（第１および第３実施形態の内側一方巻線）
Ｎｐ２  外側一次巻線（第１および第３実施形態の外側一方巻線）
Ｎｓ  二次巻線（第１実施形態の他方巻線、第２実施形態の一方巻線）
Ｎｓ１  内側二次巻線（第２実施形態の内側一方巻線、第３実施形態の内側他方巻線）
Ｎｓ２  外側二次巻線（第２実施形態の外側一方巻線、第３実施形態の外側他方巻線）
【図１】
2018056154.tif 000003
【図２】
2018056154.tif 000004
【図３】
2018056154.tif 000005
【図４】
2018056154.tif 000006
【図５】
2018056154.tif 000007
【図６】
2018056154.tif 000008
【図７】
2018056154.tif 000009
【図８】
2018056154.tif 000010
【図９】
2018056154.tif 000011
【図１０】
2018056154.tif 000012
【図１１】
2018056154.tif 000013
【図１２】
2018056154.tif 000014
【図１３】
2018056154.tif 000015
【図１４】
2018056154.tif 000016